(57)【特許請求の範囲】
【請求項１】
表面ボス部にオン・オフ切替用の作動子を有するスイッチ本体と、このスイッチ本体を装着するスイッチ装着部が形成された取付枠と、この取付枠の表面側を被覆する化粧プレートと、裏面側に前記スイッチ本体の作動子と係合する装着爪が対向して形成されるとともに、該装着爪の内側領域にネーム表示体配置部が形成された操作ユニットと、を備えたスイッチ装置において、
前記操作ユニットは、裏面側に前記ネーム表示体配置部が形成された操作本体と、この操作本体の裏面側に装着される保持部材と、複数種類のネームが表示された帯状のネーム表示体とを含み、
かつ、前記保持部材に、前記スイッチ本体の作動子と係合する装着爪を、前記ネーム表示体配置部の外側に配設されるように形成するとともに、該保持部材と前記操作本体との間に前記ネーム表示体を挟んで保持する構成としたことを特徴とするスイッチ装置。
【請求項２】
前記保持部材は、前記ネーム表示体を前記ネーム表示体配置部の両側方で弾力的に押圧する弾性押圧部を含むことを特徴とする請求項１のスイッチ装置。
【請求項３】
前記弾性押圧部は、作業者が指で押圧操作可能な切断操作片と、この切断操作片よりも内側に配置されている前記ネーム表示体を押圧して保持する弾性保持片と、を含むことを特徴とする請求項２のスイッチ装置。
【請求項４】
表面ボス部にオン・オフ切替用の作動子を有するスイッチ本体と、このスイッチ本体を装着するスイッチ装着部が形成された取付枠と、この取付枠の表面側を被覆する化粧プレートとを備えたスイッチ装置において、前記スイッチ本体の作動子に係合する操作ユニットであって、
裏面側に前記ネーム表示体配置部が形成された操作本体と、この操作本体の裏面側に装着される保持部材と、複数種類のネームが表示された帯状のネーム表示体とを含み、
かつ、前記保持部材に、前記スイッチ本体の作動子と係合する装着爪を、前記ネーム表示体配置部の外側に配設されるように形成するとともに、該保持部材と前記操作本体との間に前記ネーム表示体を挟んで保持する構成としたことを特徴とする操作ユニット。
【請求項５】
前記保持部材は、前記ネーム表示体を前記ネーム表示体配置部の両側方で弾力的に押圧する弾性押圧部を含むことを特徴とする請求項４のスイッチ装置。
【請求項６】
前記弾性押圧部は、作業者が指で押圧操作可能な切断操作片と、この切断操作片よりも内側に配置されている前記ネーム表示体を押圧して保持する弾性保持片と、を含むことを特徴とする請求項５のスイッチ装置。
【発明の詳細な説明】
【０００１】
【発明の属する技術分野】
この発明は、建物の壁等に配設されるスイッチ装置、及び同装置に使用される操作ユニットに関する。
【０００２】
【従来の技術】
屋内配線器具として一般に使用されているスイッチ装置には、「居間」「台所」「玄関」「洗面」「浴室」「廊下」等、スイッチ装置によりオン・オフされる場所等の名称（本明細書では、「ネーム」と称する）を表示するためのネーム表示部を備えたものある。
【０００３】
特開平９−２６５８５３号公報には、この種のスイッチ装置に用いられるスイッチハンドル（操作ユニット）が開示されている。同公報のスイッチハンドルは、複数種類のネームが表示されたネーム体を本体の裏面に移動可能に保持する構成である。同公報には、各種の具体的な形態が開示されているが、そのうち特に第四実施例のスイッチハンドルは、本体における表示窓の裏面側に係止片を形成し、この係止片によってシート部材（ネーム体）を弾性的に保持する構成となっている。シート部材は、一定巾の紙等で形成され、表示窓側の面に複数種類のネームが表示されている。
【０００４】
上記構成のスイッチハンドル（操作ユニット）は、シート部材を適宜移動させて目的のネームを表示窓に配置し、その後、外部にはみ出した部分を破り取って使用状態が形成される。このため、別途個々のネームカードを用意する必要がなく、管理が容易となる効果がある。
【０００５】
ところで、近年、スイッチ装置の構造も多様化してきており、例えば、図１〜図３に示すように、共通の取付枠２００に対し任意の個数だけスイッチ本体１００を装着できる構成のものがある。この種のスイッチ装置にあっては、例えば、取付枠にスイッチ本体１００を装着する３つのスイッチ装着部２０２が長さ方向に並べて形成してあり、用途に応じてスイッチ本体１００を次のように装着するとともに、装着されたスイッチ本体１００の作動子１０１に操作ユニット４００Ａ（４００Ｂ，４００Ｃ）を個別に係合させる構成となっている。
▲１▼取付枠２００に形成した各スイッチ装着部を利用して３個のスイッチ本体１００を装着するとともに、各スイッチ本体１００の作動子１０１にそれぞれ操作ユニット４００Ａを係合させる（図１参照）。
▲２▼取付枠２００に形成した両脇のスイッチ装着部を利用して２個のスイッチ本体１００を装着するとともに、各スイッチ本体１００の作動子１０１にそれぞれ操作ユニット４００Ｂを係合させる（図２参照）。
▲３▼取付枠２００に形成した中央のスイッチ装着部にスイッチ本体１００を１個装着するとともに、このスイッチ本体１００の作動子１０１に操作ユニット４００Ｃを係合させる（図３参照）。
【０００６】
上述したスイッチ装置に使用される各操作ユニット４００Ａ，４００Ｂ，４００Ｃは、スイッチ本体１００の作動子１０１に均一な操作力を伝えるために、従来は図１２に示すごとく、裏面側の中心領域部分に、スイッチ本体１００の作動子１０１と係合する装着爪４２５が、一定の間隔をおいて対向して形成されている。また、各操作ユニット４００Ａ，４００Ｂ，４００Ｃは、図１〜図３に示すように、表面の中心部分にネーム表示部（表示窓４１２ａ）を配置することで、長さの異なる各操作ユニット４００Ａ，４００Ｂ，４００Ｃに外観上の統一性をもたせている。そして、このようにネーム表示部を表面の中心部分に配置した結果、各操作ユニット４００Ａ，４００Ｂ，４００Ｃの裏面側では、上記装着爪４２５の内側領域部分（すなわち、ネーム表示部の裏面側）に、ネーム表示体５００の配置部が形成されている。
【０００７】
【発明が解決しようとする課題】
上述したとおり特開平９−２６５８５３号公報に開示されたスイッチハンドルは、別途個々のネームカードを用意する必要がなく、管理が容易となるという優れた効果を備える。しかしながら、シート部材（ネーム表示体）を保持する係止片は、スイッチ本体の作動子と係合する部位から離間した構成となっており、これらシート部材の保持部と作動子の係合部分（係止爪の内側領域）とを重なり合う状態で配設することは、構造的にみて不可能であった。したがって、上記装着爪の内側領域部分にネーム表示体の配置部が形成されているスイッチ装置には、採用し得なかった。
【０００８】
本発明は、このような事情に鑑みてなされたもので、スイッチ本体の作動子と係合する装着爪の内側領域部分にネーム表示体の配置部が形成されているスイッチ装置を対象として、別途個々のネーム表示体を用意する必要がなく、製品管理の容易化及び施工性の向上を図ることを目的とする。
【０００９】
【課題を解決するための手段】
上記目的を達成するために、本発明のスイッチ装置は、表面ボス部にオン・オフ切替用の作動子を有するスイッチ本体と、このスイッチ本体を装着するスイッチ装着部が形成された取付枠と、この取付枠の表面側を被覆する化粧プレートと、裏面側にスイッチ本体の作動子と係合する装着爪が対向して形成されるとともに、該装着爪の内側領域にネーム表示体配置部が形成された操作ユニットと、を備えたスイッチ装置において、
操作ユニットは、裏面側にネーム表示体配置部が形成された操作本体と、この操作本体の裏面側に装着される保持部材と、複数種類のネームが表示された帯状のネーム表示体とを含み、
かつ、上記保持部材に、スイッチ本体の作動子と係合する装着爪を、ネーム表示体配置部の外側に配設されるように形成するとともに、該保持部材と操作本体との間にネーム表示体を挟んで保持する構成としたことを特徴とする（請求項１）。
【００１０】
また、本発明の操作ユニットは、表面ボス部にオン・オフ切替用の作動子を有するスイッチ本体と、このスイッチ本体を装着するスイッチ装着部が形成された取付枠と、この取付枠の表面側を被覆する化粧プレートとを備えたスイッチ装置において、スイッチ本体の作動子に係合する操作ユニットであって、
裏面側にネーム表示体配置部が形成された操作本体と、この操作本体の裏面側に装着される保持部材と、複数種類のネームが表示された帯状のネーム表示体とを含み、
かつ、上記保持部材に、スイッチ本体の作動子と係合する装着爪を、ネーム表示体配置部の外側に配設されるように形成するとともに、該保持部材と操作本体との間にネーム表示体を挟んで保持する構成としたことを特徴とする（請求項４）。
【００１１】
上述した構成の操作ユニットは、操作本体のネーム表示体配置部に合わせて帯状のネーム表示体を配置した後、操作部材を操作本体の裏面側に装着することで、ネーム表示体が保持部材と操作本体との間に挟まれた状態で保持される。したがって、帯状のネーム表示体によるネームの表示選択が実現でき、製品管理の容易化及び施工作業性の向上を図ることができる。
【００１２】
ここで、保持部材は、ネーム表示体をネーム表示体配置部の両側方で弾力的に押圧する弾性押圧部を含む構成とすることが好ましい（請求項２，５）。このように構成することで、ネーム表示体配置部内でのネーム表示体の自由な移動を確実に規制してネームの表示ずれを防止することが可能となる。
【００１３】
さらに、弾性押圧部を、作業者が指で押圧操作可能な切断操作片と、この切断操作片よりも内側に配置されているネーム表示体を押圧して保持する弾性保持片と、を含む構成とすれば（請求項３，６）、切断操作片を利用して帯状のネーム表示体を容易に切り取ることができるので、いっそう施工の作業性が向上する。しかも、帯状の表示体を切り取った後にも、弾性保持片により、ネーム表示体配置部内に残したネーム表示体の自由な移動を確実に規制してネームの表示ずれを防止することができる。
【００１４】
【発明の実施の形態】
以下、この発明を図１〜図３に示したスイッチ装置に適用した実施の形態について図面を参照して詳細に説明する。
まず、図１〜図３を参照してスイッチ装置の全体構成を説明すると、スイッチ装置は、スイッチ本体１００、取付枠２００、化粧プレート３００、および操作ユニット４００Ａ，４００Ｂ，４００Ｃを備えており、取付枠２００にスイッチ本体１００が装着される。取付枠２００は、ねじ等の締結具１を用いて室内の壁面２等に固定され、その外周を化粧プレート３００によって被覆される。操作ユニット４００Ａ，４００Ｂ，４００Ｃは、それぞれ化粧プレート３００の中央部に形成した開口部３０１を介してスイッチ本体１００の作動子１０１に装着され、外部から加えられる押圧力を作動子１０１に伝える。
【００１５】
図４（ａ）はスイッチ本体の平面図、図４（ｂ）はスイッチ本体の正面図である。
スイッチ本体１００は、ケース１０２および蓋体１０３で外筐体を形成しており、その内部にスイッチ構造が組み込まれている。蓋体１０３の表面ボス部１０３ａには、作動子１０１が露出して配設してある。この作動子１０１は、支軸１０１ａを中心に揺動自在であって、揺動する方向によって内部のスイッチ構造をオン又はオフに切り替える仕組みとなっている。作動子１０１の両端縁には、後述する操作ユニットの装着爪４２５が係合する係止バネ１０１ｂが形成してある。また、蓋体１０３の両側部には、取付枠２００へ取り付けるための係止段部１０４が設けてある。なお、スイッチ本体１００の内部構造は、例えば、特開２００１−１６７６６９号公報で詳述されているとおり公知であるため、詳細な説明は省略する。
【００１６】
図１〜図３に戻り、取付枠２００は、中央部にスイッチ本体１００を装着するための装着口２０１が開口している（図３参照）。そして、この装着口２０１の内周縁部にスイッチ装着部２０２が並べて形成してあり、それらスイッチ装着部２０２にスイッチ本体１００の係止段部１０４を係止することで、スイッチ本体１００が取り付けられる。ここで、取付枠２００へのスイッチ本体１００の取付け形態は、既述したとおり３種類の形態がある（図１，図２，図３）。なお、図に示す取付枠２００は、表面に補強枠を装着した２重構造となっている。
化粧プレート３００は、取付枠２００の外周を被覆するための構成部品である。この化粧プレート３００には、中央に開口部３０１が形成してあり、この開口部３０１内に操作ユニット４００Ａ，４００Ｂ，４００Ｃが配置される。
これら取付枠２００及び化粧プレート３００についても、例えば、特開平４−４２７２１号公報に詳述されているとおり公知であるため、その詳細な説明は省略する。
【００１７】
次に、図６〜図１１を参照して操作ユニットの構成を説明する。
操作ユニットは、取付枠２００へのスイッチ本体１００の取付け形態に応じて３種類（４００Ａ，４００Ｂ，４００Ｃ）が用意されている。図６の分解斜視図は、これらのうちスイッチ本体１００を３個取り付ける場合に用いられる操作ユニット４００Ａを示している。なお、他の操作ユニット４００Ｂ，４００Ｃについても、基本的な構成は同じであるため、本実施形態では、共通の構成については操作ユニット４００Ａを主として説明し、他の操作ユニット４００Ｂ，４００Ｃについては、異なる構成部分についてのみ適宜説明を加えていく。
【００１８】
操作ユニット４００Ａは、ネーム表示体４０１、操作本体４１０、保持部材４２０、押圧板４３０、導光体４４０を含んでいる。
ネーム表示体４０１は、帯状に形成してあり、その表面には「居間」「寝室」「玄関」「トイレ」「浴室」等のネームが任意に表示してある。
【００１９】
操作本体４１０は、図７（ａ）〜（ｃ）に示すように、各操作ユニット４００Ａ，４００Ｂ，４００Ｃに対応して、長さの異なる３種類のものが用意されてる。すなわち、図７（ａ）に示す操作本体４１０は、操作ユニット４００Ａに使用されるもので、化粧プレート３００の開口部３０１に３枚並べて配置できる長さに設定されている。また、図７（ｂ）に示す操作本体４１０は、操作ユニット４００Ｂに使用されるもので、化粧プレート３００の開口部３０１に２枚並べて配置できる長さに設定されている。そして、図７（ｃ）に示す操作本体４１０は、操作ユニット４００Ｃに使用されるもので、化粧プレート３００の開口部３０１に１枚だけ配置する長さに設定されている。なお、各操作本体４１０の他の構成部分は共通の仕様となっている。
【００２０】
操作本体４１０の中央部分は開口しており、その開口部４１１に表面側から化粧板４１２と透明板４１３が嵌め込んである（図６参照）。化粧板４１２の一部には透明な表示窓４１２ａを形成してあり、この表示窓４１２ａの裏面部分がネーム表示体４０１の配置部となる。また、化粧板４１２には、表示窓４１２ａと並んで透明な発光確認窓４１２ｂが形成してある。
【００２１】
操作本体４１０の裏面には、表示窓４１２ａの両側方にそれぞれ２本の案内突条４１４が一定の間隔をもって平行に形成してある。これら対向する案内突条４１４の間隔は、帯状のネーム表示体４０１の幅寸法に合わせて設定してあり、これらの案内突条４１４の間にネーム表示体４０１を配置することで、ネーム表示体４０１の位置ずれが防止される。
また、操作本体４１０の裏面には、開口部４１１の両側縁に沿って適所に保持部材４２０を固定するための突起４１５が形成してある。
【００２２】
また、操作本体４１０の裏面には、開口部４１１の上下端縁に沿って後述する押圧板４３０の支持壁４１６，４１７が形成してある。このうち、一方の支持壁４１６には、両端に凹状の軸受部４１６ａが形成してあり、この軸受部４１６ａで押圧板４３０の支軸４３１を回動自在に支持する。また、他方の支持壁４１７には、押圧板４３０の先端部４３０ａを配置するための支持溝４１７ａが形成してある。
【００２３】
保持部材４２０は、図８（ａ）（ｂ）に示すように、２種類のものが用意されている。このうち、図８（ａ）に示す保持部材４２０は、操作ユニット４００Ａに使用され、また図８（ｂ）に示す保持部材４２０は、操作ユニット４００Ｂ，４００Ｃに使用される。これら各保持部材４２０は、後述する装着爪の本数が異なるのみで、他の構成は共通である。
【００２４】
保持部材４２０は、中央部分が板状に形成されており、その両側縁部の適所に固定孔４２１が穿設してある（図８（ｂ）参照）。保持部材４２０は、これら固定孔４２１を操作本体４１０の突起４１５に嵌合した後、突起４１５の突き出し部分をカシメ又は溶融することで、操作本体４１０の裏面側に固定される。
【００２５】
また、保持部材４２０の板状部４２２には、化粧板４１２の表示窓４１２ａと対応する箇所に開口４２２ａが形成してあり、さらに化粧板４１２の発光確認窓４１２ｂと対応する箇所にスリット４２２ｂが形成してある。ここで、板状部４２２の操作本体４１０と接触する側の面には、表示窓４１２ａの両側方部分に、ネーム表示体４０１の幅と厚さに合わせて案内溝４２３が形成してあり、ネーム表示体４０１はこの案内溝４２３を通して移動自在に案内される。また、保持部材４２０の上部両側縁部には、後述する押圧板４３０の先端両側部に形成した係止爪４３２が係合する止め部４２４が形成してある。
【００２６】
さらに、板状部４２２の両側縁部には、装着爪４２５が突き出して形成してある。装着爪４２５は、スイッチ本体１００の作動子１０１に形成した係止バネ１０１ｂ（図４参照）と係合して、操作ユニットの揺動を作動子１０１に伝える機能を有している。ここで、操作ユニット４００Ａに使用される保持部材４２０には、対向する装着爪４２５が３対並べて設けてあり（図８（ａ）参照）、一方、操作ユニット４００Ｂ，４００Ｃに使用される保持部材４２０は、対向する１対の装着爪４２５が設けてある（図８（ｂ）参照）。
【００２７】
図８（ａ）に示した保持部材４２０に３対の装着爪４２５が設けられているのは、図１に示したように取付枠２００に取り付けられた３個のスイッチ本体１００の間隔に対し、操作ユニット４００Ａの配置間隔が長く設定されているためである。
【００２８】
具体的には、図１において、上部側に配置する操作ユニット４００Ａは、その姿勢で下側に位置する装着爪４２５を、取付枠２００の上部側に取り付けられたスイッチ本体１００の作動子１０１に係合させる。また、下部側に配置する操作ユニット４００Ａは、その姿勢で上側に位置する装着爪４２５を、取付枠２００の下部側に取り付けられたスイッチ本体１００の作動子１０１に係合させる。そして、中央に配置する操作ユニット４００Ａは、中央に位置する装着爪４２５を、取付枠２００の中央に取り付けられたスイッチ本体１００の作動子１０１に係合させる。これにより、上述したスイッチ本体１００の取付け間隔とユニット４００Ａの配置間隔との寸法差を補うことができる。
【００２９】
このように操作ユニット４００Ａの配置間隔が長くなるのは、個々の操作ユニット４００Ａを従来のスイッチ装置に比べて大きくしているためである。この種のスイッチ装置（ワイドタイプと称する）は、老人や身体障害をもつ人にも操作がし易く、近年急速に需要が広がっている。なお、スイッチ本体１００の取付け間隔とユニット４００Ａの配置間隔との間に寸法差がない場合は、各操作ユニット４００Ａ，４００Ｂ，４００Ｃに対し、図８（ｂ）に示した構成の保持部材４２０を共通に使用することもできる。
【００３０】
また、保持部材４２０の両側面には、案内溝４２３を通して引き出されるネーム表示体４０１を、操作本体４１０の裏面に押さえつけて保持する弾性押圧部４２６が設けてある。本実施形態では、この弾性押圧部４２６を弾力性を有する金属板で形成して保持部材４２０にモールド成形してあるが、樹脂成形をもって保持部材４２０と一体にこの弾性押圧部４２６を形成することもできる。
【００３１】
弾性押圧部４２６は、中央部に設けられた弾性保持片４２６ａとその両脇に設けられた切断操作片４２６ｂとで構成してある。このうち弾性保持片４２６ａは、先端部が操作本体４１０の裏面側に屈曲形成してあり、この先端で切断操作片４２６ａよりも内側（すなわち、表示窓４１２ａ側）に配置されているネーム表示体４０１を押圧保持する機能を有している。なお、操作本体４１０の裏面には、この弾性保持片４２６ａの先端と対向する位置に保持溝４１８が形成してあり（図７参照）、この保持溝４１８に弾性保持片４２６ａが弾力的にくい込んで、ネーム表示体４０１の保持力を高める構成となっている。
【００３２】
また切断操作片４２６ｂは、作業者が指で押圧し易いように広い面積を確保してあり、しかも先端部には操作者の爪を入り込ませることのできる凹溝４２６ｃを形成することで押圧操作の容易化を図っている。
【００３３】
図６に戻り、押圧板４３０は、表示窓４１２ａの裏面に配置されたネーム表示体４０１を、保持部材４２０の開口４２２ａを通して押圧するための部材であり、基端両側部に形成した支軸４３１が操作本体４１０の軸受部４１６ａへ回動自在に装着される。そして、先端両側部に形成した係止爪４３２を保持部材４２０の止め部４２４に係合させることで、保持部材４２０の板状部４２２と重なり合い、開口４２２ａを通してネーム表示体４０１を押圧する。なお、その押圧面には図示しないが操作本体４１０の裏面側へ膨出する凸部が形成されている。
【００３４】
この押圧板４３０の中央部には、発光確認窓４１２ｂと対向して開口４３３が形成してある。また、導光体４４０には集光レンズ４４１が形成してあり、この集光レンズ４４１が開口４３３を通して発光確認窓４１２ｂと対向するように、導光体４４０が押圧板４３０に装着される。図４に示したスイッチ本体１００には、オフ状態のとき発光するネオン管（図示せず）が内蔵してあり、このネオン管の光が作動子１０１の中央部から取り出される。このネオン管の光は、導光体４４０の集光レンズ４４１によって発光確認窓４１２ｂへと導かれ、外部から視認可能となる。
【００３５】
上述した各構成部品からなる本実施形態の操作ユニット４００Ａは、図９に示すように、操作本体４１０の裏面側へ表示窓４１２ａに合わせてネーム表示体４０１の一部を配置した後、操作本体４１０の裏面に保持部材４２０を装着することで、ネーム表示体４０１が保持される。ネーム表示体４０１は帯状をしているので、多くの部分は弾性押圧部４２６から外側に延出する。この延出部分の両端は、図１０に示すように接続してもよい。このようにネーム表示体４０１をリング状としておけば、ネーム表示体４０１が操作本体４１０の裏面側から引き出されて離脱するおそれがなくなる。
【００３６】
さらに、図１１に示すように、操作本体４１０の裏面側に押圧板４３０を装着して、操作ユニット４００Ａの組み立てが完成する。操作ユニット４００Ａ（４００Ｂ，４００Ｃ）は、この組立て状態でスイッチ本体１００、取付枠２００、化粧プレート３００とともに工場出荷することが好ましい。そして、施工現場にてネーム表示体４０１を長手方向に移動させることで表示窓４１２ａに所望のネームを配置することができる。
【００３７】
所望のネームを表示窓４１２ａに配置した後、弾性押圧部４２６の切断操作片４２６ｂを指で押圧しながら、ネーム表示体４０１をこの切断操作片４２６ｂのエッジ部分を利用して切断する。ネーム表示体４０１には、ネームの表示間隔に合わせ一定の間隔でミシン目を入れておき、このミシン目部分で切断するようにしておけば、いっそう切断作業が容易となり好ましい。
【００３８】
このように切断されたネーム表示体４０１は、所望のネームが表示された部分のみが表示窓４１２ａの裏面側に配置される。当該部分は、両端部が弾性押圧部４２６の弾性保持片４２６ａで保持されるとともに、中央部分が押圧板４３０により押圧されて、位置ずれが防止されている。
【００３９】
なお、ネーム表示体４０１にあらかじめ表示されていないネームを表示窓４１２ａに表示する必要が生じた場合は、ネーム表示体４０１を抜き取るとともに、押圧板４３０を開いて表示窓４１２ａの裏面を露出させ、別途作成したネーム片を同面に配置することも可能である。このような必要がない場合は、押圧板４３０を省略して、表示窓４１２ａの裏面に配置されたネーム表示体４０１の中央部分を押圧する機能（押圧部）を保持部材４２０に付与するとともに、導光体４４０を保持部材４２０に装着することも可能である。
【００４０】
【発明の効果】
以上説明したように、本発明によれば、操作本体とは別個に保持部材を構成し、この保持部材にスイッチ本体の作動子と係合する装着爪を形成するとともに、該保持部材と操作本体との間にネーム表示体を挟んで保持する構成とすることで、スイッチ本体の作動子と係合する装着爪の内側領域部分にネーム表示体の配置部が形成されているスイッチ装置にあっても、帯状のネーム表示体によるネームの表示選択が実現でき、製品管理の容易化及び施工作業性の向上を図ることができる。
【図面の簡単な説明】
【図１】スイッチ装置の全体構造を示す分解斜視図である。
【図２】図１と同じく、スイッチ装置の全体構造を示す分解斜視図である。
【図３】図１及び図２と同じく、スイッチ装置の全体構造を示す分解斜視図である。
【図４】スイッチ本体を示す図で、（ａ）は平面図、（ｂ）は正面図である。
【図５】スイッチ本体の斜視図である。
【図６】操作ユニットの分解斜視図である。
【図７】操作本体の斜視図である。
【図８】保持部材の斜視図である。
【図９】操作ユニットの組み立て工程を示す斜視図である。
【図１０】図８と同じく、操作ユニットの組み立て工程を示す斜視図である。
【図１１】組み立て後の操作ユニットを示す正面断面図である。
【図１２】従来の操作ユニットを示す分解斜視図である。
【符号の説明】
１００：スイッチ本体
１０１：作動子
１０１ａ：支軸
１０１ｂ：係止バネ
１０２：ケース
１０３：蓋体
１０３ａ：表面ボス部
１０４：係止段部
２００：取付枠
２０１：装着口
２０２：スイッチ装着部
３００：化粧プレート
３０１：開口部
４００Ａ，４００Ｂ，４００Ｃ：操作ユニット
４０１：ネーム表示体
４１０：操作本体
４１１：開口部
４１２：化粧板
４１２ａ：表示窓
４１２ｂ：発光確認窓
４１３：透明板
４１４：案内突条
４１５：突起
４１６，４１７：支持壁
４１６ａ：軸受部
４１７ａ：支持溝
４１８：保持溝
４２０：保持部材
４２１：固定孔
４２２：板状部
４２２ａ：開口
４２２ｂ：スリット
４２３：案内溝
４２４：止め部
４２５：装着爪
４２６：弾性押圧部
４２６ａ：弾性保持片
４２６ｂ：切断操作片
４２６ｃ：凹溝
４３０：押圧板
４３１：支軸
４３２：係止爪
４３３：開口
４４０：導光体
４４１：集光レンズ
【図１】
0004063574.tif 000002
【図２】
0004063574.tif 000003
【図３】
0004063574.tif 000004
【図４】
0004063574.tif 000005
【図５】
0004063574.tif 000006
【図６】
0004063574.tif 000007
【図７】
0004063574.tif 000008
【図８】
0004063574.tif 000009
【図９】
0004063574.tif 000010
【図１０】
0004063574.tif 000011
【図１１】
0004063574.tif 000012
【図１２】
0004063574.tif 000013